(57)【要約】【課題】お供え用菓子を筒状の配列した「お華束」を簡単容易に組み立てることができるお供え菓子の陳列台を提供する。【解決手段】基台２上に所定間隔おきに段積みされる上下複数枚の支持盤１を備え、各支持盤１の周辺には、菓子Ｓの周辺部が嵌合する菓子挟み部１５，１６が周方向所要間隔おきに設けられ、この菓子挟み部１５，１６を使用して、上下に隣り合う支持盤１の周辺部間で周方向所要間隔おきに菓子Ｓを、その表面Ｓａが垂直で支持盤１の中心に対し外向きとなる姿勢で挟んだ状態で、前記基台２及び上下複数枚の支持盤１を一体に結合する結合手段１１が設けられた構成。【選択図】図２
2005058632.tif 000002
【特許請求の範囲】
【請求項１】
基台上に所定間隔おきに段積みされる上下複数枚の支持盤を備え、各支持盤の周辺には、菓子の周辺部が嵌合する菓子挟み部が周方向所要間隔おきに設けられ、この菓子挟み部を使用して、上下に隣り合う支持盤の周辺部間で周方向所要間隔おきに菓子を、その表面が垂直で支持盤中心に対し外向きとなる姿勢で挟んだ状態で、前記基台及び上下複数枚の支持盤を一体に結合する結合手段が設けられた、お供え菓子の陳列台。
【請求項２】
各支持盤には、その周辺上側に菓子周辺下部が嵌合する下側菓子挟み部が設けられると共に、周辺下側に菓子周辺上部が嵌合する上側菓子挟み部が設けられ、全ての支持盤が同一である、請求項１に記載のお供え菓子の陳列台。
【請求項３】
各支持盤は透明合成樹脂成形品である、請求項１又は２に記載のお供え菓子の陳列台。
【請求項４】
各支持盤は真円形であり、上下に隣り合う支持盤の周辺部間で挟まれる菓子は支持盤と同心の円周上に並ぶ、請求項１〜３の何れかに記載のお供え菓子の陳列台。
【請求項５】
菓子は、円盤状の本体とその裏面側に突出する突出部とを備え、菓子の下側になる支持盤には、菓子本体の周辺下部が嵌合する外側凹部と菓子裏面側突出部が嵌合する内側凹部とを備えた下側菓子挟み部が設けられ、菓子の上側になる支持盤には、少なくとも菓子本体の周辺上部が嵌合する外側凹部が設けられ、前記下側菓子挟み部の内側凹部と菓子裏面側突出部との嵌合により菓子本体が正立姿勢に保持されるように構成された、請求項１〜４の何れかに記載のお供え菓子の陳列台。
【請求項６】
菓子裏面側突出部は、その上部が菓子本体より小径の円弧形であると共に下部が角形であり、支持盤の下側菓子挟み部における内側凹部は前記突出部の角形下部が嵌合する角形であり、支持盤の上側菓子挟み部にも前記突出部の上部が遊嵌する内側凹部が設けられている、請求項５に記載のお供え菓子の陳列台。
【請求項７】
各支持盤の中心側には、この支持盤の直径のほぼ半分程度の径の段積み用嵌合部が設けられ、当該段積み用嵌合部は、互いに上下に嵌合し合うことにより、各支持盤を同心状態で且つ菓子の高さより大きくない上下間隔で段積みさせるものである、請求項１〜６の何れかに記載のお供え菓子の陳列台。
【請求項８】
段積み用嵌合部は、環状の各支持盤の内周辺から連設された直径方向一対の同心円弧形の垂直壁で構成され、その上下両端に小径嵌合雄部と大径嵌合雌部とが形成されている、請求項７に記載のお供え菓子の陳列台。
【請求項９】
各支持盤の中心側には段積み用嵌合部が設けられ、この段積み用嵌合部には、上下に隣り合う支持盤の相対回転を阻止する回転止め係合部を備えている、請求項１〜８の何れかに記載のお供え菓子の陳列台。
【請求項１０】
各支持盤には、その周辺下側に菓子周辺上部が嵌合する上側菓子挟み部が設けられると共に、周辺上側に菓子周辺下部が嵌合する下側菓子挟み部が、前記上側菓子挟み部に対し周方向に一定角度だけずれた位置に設けられ、段積み用嵌合部の回転止め係合部は、段積み用嵌合部の上下両端に形成された係合雄部と係合雌部とから成り、係合雄部と係合雌部とが周方向に前記一定角度だけずらして配置されている、請求項９に記載のお供え菓子の陳列台。
【請求項１１】
結合手段は、基台上で段積みされた最上位支持盤の上に被せられるカバーと、当該カバーと前記基台とを中間の段積みされた支持盤を貫通して互いに引き寄せるように連結する螺軸及びナットとから構成されている、請求項１〜１０の何れかに記載のお供え菓子の陳列台。
【請求項１２】
基台は、中心に前記螺軸が貫通する貫通孔を備えた段積み用嵌合部が上向きに突設された縦断面凸形状のものであり、カバーは基台と同一のものを上下逆向きに使用したものである、請求項１０に記載のお供え菓子の陳列台。
【請求項１３】
上下に隣り合う支持盤間に菓子が保持され且つ全体が結合手段で一体化された陳列台の全体に筒状で透明の熱収縮性フィルムを被せ、当該フィルムを加熱収縮させて、少なくとも最下位の支持盤と最上位の支持盤との間を前記筒状透明フィルムで被覆させてある、請求項１〜１２の何れかに記載のお供え菓子の陳列台。
【発明の詳細な説明】
【技術分野】
【０００１】
本発明は、法事などに際して祭壇や仏壇にお供えされる、一般に「お華束」と称されるものを形作るためのお供え菓子の陳列台に関するものである。
【背景技術】
【０００２】
一般に「お華束」と称されるものを形作るためのお供え菓子の陳列台としては、特許文献１に記載されるように、筒状体の周面に、菓子を垂直正立姿勢で嵌合させる特殊な形状の孔を多数設け、各孔に菓子を差し込んで係止させるようにしたものが知られている。
【特許文献１】特許第２６４５２６２号公報
【発明の開示】
【発明が解決しようとする課題】
【０００３】
しかしながら、特許文献１に記載された従来のお供え菓子の陳列台では、完成した「お華束」の高さに近い嵩高い筒状体が必要であること、この筒状体の周面に所定の配列で特殊形状の孔を設けなければならないこと、そして各孔には、差し込まれた菓子を保持する菓子保持機能を持たせなければならないことから、陳列台の製造コストが高くつくばかりでなく、菓子を装着する前の陳列台の運搬格納などに必要なスペースが大きくなり、運搬格納コストも高くつくという問題点があった。
【課題を解決するための手段】
【０００４】
本発明は上記のような従来の問題点を解消し得るお供え菓子の陳列台を提供することを目的とするものであって、その手段を後述する実施形態の参照符号を付して示すと、基台２上に所定間隔おきに段積みされる上下複数枚の支持盤１を備え、各支持盤１の周辺には、菓子Ｓの周辺部が嵌合する菓子挟み部１５，１６が周方向所要間隔おきに設けられ、この菓子挟み部１５，１６を使用して、上下に隣り合う支持盤１の周辺部間で周方向所要間隔おきに菓子Ｓを、その表面Ｓａが垂直で支持盤１の中心に対し外向きとなる姿勢で挟んだ状態で、前記基台２及び上下複数枚の支持盤１を一体に結合する結合手段１１が設けられた構成となっている。
【０００５】
上記構成の本発明のお供え菓子の陳列台を実施するに際し、具体的には、請求項２に記載のように、各支持盤１には、その周辺上側に菓子周辺下部が嵌合する菓子下側挟み部１５を設けると共に、周辺下側に菓子周辺上部が嵌合する菓子上側挟み部１６を設けて、全ての支持盤１を同一にする、即ち、一種類の支持盤１を製造すれば良いように構成することができる。
【０００６】
又、請求項３に記載のように、各支持盤１は透明合成樹脂成形品とすることができるし、請求項４に記載のように、各支持盤１を真円形とし、上下に隣り合う支持盤１の周辺部間で挟まれる菓子Ｓが支持盤１と同心の円周上に並ぶように構成することができる。
【０００７】
更に、請求項５に記載のように、菓子Ｓは、円盤状の本体１２とその裏面側に突出する突出部１３とを備えたものとし、菓子Ｓの下側になる支持盤１には、菓子本体１２の周辺下部が嵌合する外側凹部２３と菓子裏面側突出部１３が嵌合する内側凹部２４とを備えた菓子下側挟み部１５を設け、菓子Ｓの上側になる支持盤１には、少なくとも菓子本体１２の周辺上部が嵌合する外側凹部２５を設け、前記菓子下側挟み部１５の内側凹部２４と菓子裏面側突出部１３との嵌合により菓子本体１２が正立姿勢に保持されるように構成することができる。この場合、請求項６に記載のように、菓子裏面側突出部１３は、その上部１３ａを菓子本体１２より小径の円弧形にすると共に下部１３ｂを角形とし、支持盤１の菓子下側挟み部１５における内側凹部２４は前記突出部１３の角形下部１３ｂが嵌合する角形とし、支持盤１の菓子上側挟み部１６にも前記突出部１３の上部１３ａが遊嵌する内側凹部２６を設けることができる。
【０００８】
又、請求項７に記載のように、各支持盤１の中心側には、この支持盤１の直径のほぼ半分程度の径の段積み用嵌合部１４を設け、当該段積み用嵌合部１４を互いに上下に嵌合させ合うことにより、各支持盤１を同心状態で且つ菓子Ｓの高さとほぼ同一か又はそれより小さい上下間隔で段積みできるように構成することができる。この場合、請求項８に記載のように、段積み用嵌合部１４は、環状の各支持盤１の内周辺から連設された直径方向一対の同心円弧形の垂直壁１７Ａ，１７Ｂで構成し、その上下両端に小径嵌合雄部１８と大径嵌合雌部２０とを形成することができる。
【０００９】
更に、請求項９に記載のように、各支持盤１の中心側に段積み用嵌合部１４を設ける場合、この段積み用嵌合部１４には、上下に隣り合う支持盤１の相対回転を阻止する回転止め係合部２２を設けておくことができる。この場合、請求項１０に記載のように、各支持盤１には、その周辺下側に菓子周辺上部が嵌合する菓子上側挟み部１６を設けると共に、周辺上側に菓子周辺下部が嵌合する菓子下側挟み部１５を、前記菓子上側挟み部１６に対し周方向に一定角度θだけずれた位置に設け、段積み用嵌合部１４の回転止め係合部２２は、段積み用嵌合部１４の上下に形成された係合雄部２１ａと係合雌部２１ｂとから構成し、係合雄部２１ａと係合雌部２１ｂとを周方向に前記一定角度θだけずらして配置することができる。
【００１０】
結合手段１１は、請求項１１に記載のように、基台２上で段積みされた最上位支持盤１の上に被せられるカバー３と、当該カバー３と前記基台２とを中間の段積みされた支持盤１を貫通して互いに引き寄せるように連結する螺軸８及びナット９ｂ，１０とから構成することができる。この場合、請求項１２に記載のように、基台２は、中心に前記螺軸８が貫通する貫通孔７ａを備えた段積み用嵌合部５が上向きに突設された縦断面凸形状のものとし、カバー３は基台２と同一のものを上下逆向きに使用することができる。
【００１１】
又、請求項１３に記載のように、上下に隣り合う支持盤１間に菓子Ｓが保持され且つ全体が結合手段１１で一体化された陳列台の全体に筒状で透明の熱収縮性フィルム４を被せ、当該フィルム４を加熱収縮させて、少なくとも最下位の支持盤１と最上位の支持盤１との間を前記フィルム４で被覆させることができる。
【発明の効果】
【００１２】
上記構成の本発明に係るお供え菓子の陳列台によれば、基台上に所定間隔おきに段積みされる上下複数枚の支持盤の周辺部間に、各支持盤に設けられている菓子挟み部を利用して菓子を、その表面が垂直で支持盤中心に対し外向きとなる姿勢で挟んだ状態で、前記基台及び上下複数枚の支持盤を結合手段で一体に結合することにより、周囲に菓子が多列多段に配列された「お華束」を形成することができるのであるが、本発明の構成によれば、各段の中間に位置する支持盤で各段の菓子を挟むので、筒状体に菓子を嵌め込む孔を加工したり、各孔に菓子を保持する機能を持たせる従来の構成と比較して、構造が簡単で製造コストを大巾に低減できる。しかも菓子の周辺部上下２箇所が上下の支持盤周辺の菓子挟み部に嵌合する構造であるから、結合手段による結合作用が解かれて各支持盤がばらばらになり得る状況にならない限り、挟んだ菓子が不測に脱落する恐れもない。更に、菓子を支持盤間に挟ませない非使用状態では、基台と複数枚の支持盤、及び結合手段に分解されるので、運搬格納に必要なスペースも小さくなり、運搬格納コストの低減も図れる。
【００１３】
尚、本発明を実施する場合、周辺上側にのみ菓子周辺下部が嵌合する菓子下側挟み部を備えた支持盤と、周辺下側にのみ菓子周辺上部が嵌合する菓子上側挟み部を備えた支持盤とに分けて構成し、最上位と最下位の支持盤以外の位置では、２枚の支持盤が重なるように配置することも可能であるが、請求項２に記載の構成によれば、一種類の支持盤を製造すれば良いので、全体の構造が簡単で安価に実施することができ、組み立てもように行える。
【００１４】
又、請求項３に記載の構成によれば、各支持盤の菓子挟み部に嵌合する菓子の周辺部上下２箇所が支持盤の周縁部外側から透視できるので、各菓子の表面全体が問題なく表現でき、「お華束」としての商品価値を損なうことが無い。更に、本発明では、各支持盤を多角形に形成して、菓子表面が多角柱面上に配列された「お華束」を組み立てるように構成することも可能であるが、請求項４に記載の構成によれば、従来の円筒体を使用した陳列台と同様に、菓子表面を円柱面上に配列した「お華束」を組み立てることができ、しかも各支持盤に基本的に方向性が無くなるので、組み立て作業も容易に行える。
【００１５】
更に、請求項５に記載の構成によれば、各支持盤間に菓子を挟ませるとき、下側になる支持盤の周辺上側の菓子下側挟み部に対し菓子を、その本体周辺部と裏面側突出部とで正立姿勢で容易に仮置きすることができ、その上に上側の支持盤を、その周辺下側の菓子上側挟み部に菓子本体の周辺部が嵌合するように載置すれば良いので、組み立てが容易になる。又、菓子の正立姿勢を確実に保持させることができる。この請求項５に記載の構成を実施する場合、菓子本体の裏面側の下辺部にのみ前記突出部を形成しても良いが、特に請求項６に記載の構成によれば、菓子裏面側突出部による菓子を正立姿勢で仮置きできる効果や菓子を正立姿勢で保持させる効果が一層高められると共に、菓子裏面側突出部を大きくして、当該突出部が破損し難いようにすることができる。
【００１６】
又、請求項７に記載の構成によれば、各支持盤間の間隔が、各支持盤が備える段積み用嵌合部どうしの嵌合により菓子の高さより大きくない間隔に規制されるので、結合手段による結合時に各支持盤間の菓子を上下の支持盤間でしっかりと挟ませることができ、菓子ががたついて、砂糖など菓子表面の形成材料が脱落したり菓子が破損したりすることがなくなる。又、各支持盤は、この支持盤の直径のほぼ半分程度の径の段積み用嵌合部どうしの嵌合により同心状に段積みされるので、結合手段で結合する前であっても各支持盤の段積み状態が安定し、組み立てが容易に行える。又、実施形態にも示したように、この段積み用嵌合部は中空状態に形成することができ、支持盤の中心に結合手段の螺軸が貫通する貫通孔を設けることにより各支持盤を同心状に位置決めできるように構成する場合より、各支持盤の使用材料の節減、延いてはコストダウンを図ることができる。
【００１７】
上記請求項７に記載の構成を採用する場合、請求項８に記載の構成によれば、段積み用嵌合部を円筒状に構成する場合よりも一層使用材料の節減、延いてはコストダウンを図ることができると共に、直径方向一対の同心円弧形垂直壁の周方向の巾を９０度以下にして、非使用状態で各支持盤を段積みするとき、上下の支持盤を９０度互いに向きを変えて、それぞれの直径方向一対の同心円弧形垂直壁どうしが互いに周方向に隣接して嵌まり込むようにし、以て、段積みした支持盤全体の嵩を低くすることもできる。
【００１８】
更に、請求項９に記載の構成によれば、段積みさせた支持盤どうしが周方向に相対回転することが無いので、組み立て時に上下の支持盤の菓子上側挟み部と菓子下側挟み部とを互いに上下に対向する所定の位置に位置決めすることができ、組み立て作業が容易に行える。この場合、請求項１０に記載の構成によれば、実施形態に示したように、各支持盤の下側の菓子と上側の菓子とを周方向に一定角度だけ正確にずらして配置することができるので、組み立てられた「お華束」の周囲の菓子を螺旋状に配置することができる。この場合、実施形態に示したように、各螺旋状列ごと、或いは複数螺旋状列ごとに菓子の色を変えるなどして、螺旋模様を際立たせることが望ましい。
【００１９】
又、請求項１１に記載の構成によれば、上下に隣り合う支持盤どうしを順次結合する手段を使用する場合よりも、結合手段にかかるコストを下げることができると共に、全体を簡単容易に結合一体化することができる。この場合、請求項１２に記載の構成によれば、カバーは基台と同一のものを上下逆向きに使用すれば良いので、製造コストを下げることができる。
【００２０】
更に請求項１３に記載の構成によれば、筒状表面に沿うように配列された菓子を透明フィルムで被覆するので、お供え中の菓子に対する防塵効果が得られ、菓子単体を包装しておかなくとも、用済み後の菓子を例えば砂糖として食用に安全に供することができる。更に、透明フィルムは熱収縮性であって、加熱による収縮により「お華束」全体を周囲から中心に向かって締め付ける効果が期待され、「お華束」全体の一体化を高める効果も得られる。
【発明を実施するための最良の形態】
【００２１】
以下に本発明の具体的実施例を添付図に基づいて説明すると、図１において、１は支持盤、２は基台、３はカバーである。支持盤１は基台２上に上下複数段に段積み（中間段は図示省略）されており、上下に隣り合う支持盤１間の周囲に菓子Ｓが、その表面Ｓａが垂直で支持盤１の中心に対し外向きの姿勢で挟まれている。４は、筒状透明の熱収縮性フィルムであって、組み立てられた陳列台（お華束）の全体に被せた状態で加熱することにより収縮させ、当該陳列台（お華束）の基台２の底面側とカバー３の上面側とを除く周囲全体をほぼ密着状態で被覆している。
【００２２】
図２及び図３に示すように、基台２は透明合成樹脂成形品であって、支持盤１の直径のほぼ半分程度の径で上向きに突出する中空円筒状の段積み用嵌合部５と、この段積み用嵌合部５の下端周辺から一体に張り出す張り出し台座部６とから成る、縦断面凸形状のもので、段積み用嵌合部５の中心に螺軸支持用筒状部７が突設され、この筒状部７の貫通孔７ａに下端部が挿通された螺軸８が、前記筒状部７を上下から挟む一対のナット９ａ，９ｂによりこの基台２から垂直に起立するように取り付けられている。尚、下側のナット９ｂを取り外すことにより、螺軸８を基台２から抜き取ることができる。
【００２３】
カバー３は、基台２と全く同じものを上下逆向きに使用している。而して、当該カバー３の下向きに突出する段積み用嵌合部５の筒状部７に前記螺軸８の上端部を上向きに挿通し、カバー３の上側に突出した螺軸８に螺嵌させたナット１０で締結するようにして結合手段１１を構成している。
【００２４】
菓子Ｓは、例えば砂糖を固めて成形されたもので、図４に示すように円盤状の本体１２とその裏面側に突出する突出部１３とを備えている。菓子裏面側突出部１３は、本体１２より一回り小さいもので、その上部１３ａが本体１２より小径の円弧形であると共に下部１３ｂが逆台形の角形である。本体１２の表面Ｓａには、図示していないが、必要に応じて家紋などの文様が立体的に形成される。
【００２５】
支持盤１の詳細構造を図２及び図５〜図１０に基づいて説明すると、全ての支持盤１は真円環状の透明合成樹脂成形品から成る同一のものであって、その内周辺には段積み用嵌合部１４が同心状に形成され、周囲上側には菓子下側挟み部１５が形成され、周囲下側には菓子上側挟み部１６が形成されている。
【００２６】
段積み用嵌合部１４は、直径方向一対の同心円弧形の垂直壁１７Ａ，１７Ｂで構成され、各垂直壁１７Ａ，１７Ｂは、周方向の巾が９０度より若干狭いもので、支持盤１から上方に突出する部分で基台２（カバー３）の段積み用嵌合部５が丁度内嵌し得る内径を有する小径嵌合雄部１８が形成され、この小径嵌合雄部１８の上端から支持盤１より下方に突出する部分の中間高さ位置までが前記小径嵌合雄部１８の内径とほぼ同一内径の内周面部１９となり、当該内周面部１９から下端まで、即ち、支持盤１から下方に突出する部分の下半部に、下側の支持盤１の前記小径嵌合雄部１８に対し一定深さだけ外嵌し得る大径嵌合雌部２０が形成されている。従って、この支持盤１の段積み用嵌合部１４を基台２の段積み用嵌合部５に外嵌させたとき、基台２の段積み用嵌合部５に各垂直壁１７Ａ，１７Ｂの内周面部１９が外嵌する状態で大径嵌合雌部２０の下端を基台２の張り出し台座部６上に当接支持させることができる。
【００２７】
又、支持盤１の段積み用嵌合部１４には、その一方の垂直壁１７Ａの小径嵌合雄部１８の外側面一箇所に細い台形状の係合雄部２１ａが突設され、当該一方の垂直壁１７Ａの大径嵌合雌部２０には、下側の支持盤１の係合雄部２１ａが嵌合し得る細い台形の切り欠きから成る係合雌部２１ｂが形成され、これら係合雄部２１ａと係合雌部２１ｂとで、回転止め係合部２２が構成されている。そして係合雄部２１ａと係合雌部２１ｂとは、周方向に関して一定角度θ（例えば１２度）だけ位置がずらされている。
【００２８】
支持盤１の周囲上側の菓子下側挟み部１５は、前記係合雄部２１と係合雌部２２との周方向の位置ずれ角度θの２倍の角度２θ（例えば２４度）で周方向等間隔おきに配設されたもので、菓子Ｓの本体１２の周辺下端部が嵌合する円弧形の外側凹部２３と、菓子裏面側突出部１３の角形下部１３ｂが丁度嵌合し得る角形の内側凹部２４とから構成されている。そして支持盤１の周囲下側の菓子上側挟み部１６は、周方向に隣接する２つの菓子下側挟み部１５間の中央真上に位置する状態で菓子下側挟み部１５と同一数が周方向等間隔おきに配設されたもので、菓子Ｓの本体１２の周辺上端部が嵌合する円弧形の外側凹部２５と、菓子裏面側突出部１３の円弧形上部１３ａが遊嵌し得る円弧形の内側凹部２６とから構成されている。
【００２９】
上記構成の陳列台の使用方法を説明すると、先ず、基台２から起立する螺軸８に対し最下位となる支持盤１を嵌めて、その段積み用嵌合部１４（一対の円弧形垂直壁１７Ａ，１７Ｂ）を、大径嵌合雌部２０の下端が基台２の張り出し台座部６上に当接するように基台２の段積み用嵌合部５に嵌合させる。次に当該最下位となる支持盤１の周囲上側の各菓子下側挟み部１５に菓子Ｓを、その本体１２の周辺下部が外側凹部２３に嵌合すると共にその裏面側突出部１３の角形下部１３ｂが角形の内側凹部２４に嵌合するように、仮置きする。このように仮置きされた菓子Ｓは、裏面側突出部１３の角形下部１３ｂと角形の内側凹部２４との嵌合により、その表面Ｓａが垂直で外向きになる姿勢に保たれる。
【００３０】
最下位の支持盤１（下側支持盤１）の全ての菓子下側挟み部１５に菓子Ｓを仮置きしたならば、当該下側支持盤１と上下同一向きで二番目の支持盤１（上側支持盤１）を螺軸８に対し嵌め、当該上側支持盤１の段積み用嵌合部１４（一対の円弧形垂直壁１７Ａ，１７Ｂ）の大径嵌合雌部２０を下側支持盤１の段積み用嵌合部１４の小径嵌合雄部１８に外嵌させるが、このとき上側支持盤１の大径嵌合雌部２０の係合雌部２１ｂを下側支持盤１の小径嵌合雄部１８の係合雄部２１ａに嵌合させることにより、図１１及び図１２に示すように、上側支持盤１の周囲下側の菓子上側挟み部１６が下側支持盤１の周囲上側の菓子下側挟み部１５の真上、即ち、仮置きされた各菓子Ｓの真上に位置することになるので、下側支持盤１の各菓子下側挟み部１５に仮置きされた各菓子Ｓを上側支持盤１の周囲下側の菓子上側挟み部１６で挟むことができる。このとき、菓子本体１２の周辺上部が菓子上側挟み部１６の外側凹部２５に嵌合すると共に裏面側突出部１３の円弧状上部１３ａが菓子上側挟み部１６の内側凹部２６に遊嵌することになり、各菓子Ｓは、その表面Ｓａが垂直で外向きになる姿勢に保持される。
【００３１】
尚、図２に示すように、上記のように上下の支持盤１間で円周上で等間隔おき（例えば２４度間隔おき）に並ぶ菓子Ｓを挟んだとき、上側支持盤１は下側支持盤１に対し若干浮き上がった状態にあって、当該上側支持盤１はその周囲が円周上に並ぶ菓子Ｓによって支持された状態になる。勿論このとき、上側支持盤１の段積み用嵌合部１４が、大径嵌合雌部２０の下端又は当該大径嵌合雌部２０と内周面部１９との間の段部において下側支持盤１で支持されるが、菓子本体１２の周辺上部と上側支持盤１の周辺下側の菓子上側挟み部１６の外側凹部２５とが丁度接触するか僅かな隙間を隔てて近接するように構成し、上側支持盤１の重量が実質的には菓子Ｓに作用しないように構成することもできる。
【００３２】
以下、菓子Ｓの上に被せた上側支持盤１を下側支持盤１として、上記と同様にその周囲上側の各菓子下側挟み部１５に菓子Ｓを仮置きし、この仮置きされた菓子Ｓの上に新たな上側支持盤１を、その周囲下側の各菓子上側挟み部１６が菓子Ｓの上に嵌合するように被せる作業を繰り返し行って、所要枚数の支持盤１を、上下に隣り合う支持盤１間の周囲で同心円周上に並ぶ菓子Ｓを挟む状態に段積みするのであるが、上下に隣り合う支持盤１は、それぞれの段積み用嵌合部１４（一対の円弧形垂直壁１７Ａ，１７Ｂ）の小径嵌合雄部１８と大径嵌合雌部２０との嵌合により基台２の垂直軸心（螺軸８）と同心状態に段積みされると共に、それぞれの係合雄部２１ａと係合雌部２１ｂとの嵌合により周方向の相対位相が、下側支持盤１の周囲上側の菓子下側挟み部１５と上側支持盤１の周囲下側の菓子上側挟み部１６とが上下に対向して菓子Ｓを正常に挟むことができる状態に規制される。
【００３３】
上記のようにして段積みされた各支持盤１間の周囲で、下側支持盤１の周囲上側の菓子下側挟み部１５と上側支持盤１の周囲下側の菓子上側挟み部１６とで菓子Ｓを挟ませたとき、上段の各菓子Ｓは下段の周方向に隣り合う２つの菓子Ｓの中央真上に位置することになるので、図１Ａに示すように、菓子Ｓが起立する円筒状表面上に螺旋状に配列される状態になる。従って、図１Ａに例示するように、例えば白色系の菓子と赤色系の菓子（…を付して示す菓子）とを周方向に交互（図示例は１つおきとしているが、複数個おきとしても良い）に配置させることにより、螺旋状の配列を顕著に現出させることができる。
【００３４】
所要枚数の支持盤１を、上下に隣り合う支持盤１間の周囲で同心円周上に並ぶ菓子Ｓを挟む状態に段積みし終わったならば、最後にカバー３（基台２と同じものを上下逆向きで使用する）を、その段積み用嵌合部５が最上位の支持盤１の上側に突出する段積み用嵌合部１４の小径嵌合雄部１８の内側に嵌合させると共に、螺軸８を当該カバー３の筒状部７に挿通させ、このカバー３の上側に突出する螺軸８にナット１０を螺嵌締結して、基台２とカバー３との間で所要枚数の段積みされた支持盤１を軸方向に挟む付けて一体に固定する。最後に筒状透明の熱収縮性フィルム４を、組み立てられた陳列台（お華束）の全体に被せた状態で加熱することにより収縮させ、当該陳列台（お華束）の基台２の底面側とカバー３の上面側とを除く周囲全体をほぼ密着状態で被覆して、陳列台（お華束）が完成する。
【００３５】
尚、熱収縮性フィルム４は必要に応じて使用すれば良く、本発明に必須のものではない。又、陳列する菓子Ｓとして、表面Ｓａに上下が決まる文様などが形成されていない（方向性の無い）もの、或いは表面Ｓａに上下が決まる文様などが形成されていても菓子そのものが非真円形の円盤状のもので、支持盤１の菓子下側挟み部１５の外側凹部２３の形状によっては当該菓子を正立姿勢に位置決めできるものであるときは、菓子Ｓの裏面側突出部１３、及びこの突出部１３の上下が嵌合する内側凹部２４，２６を省いても良い。
【００３６】
又、菓子Ｓを螺旋状に配列させることができるように構成したが、支持盤１の周辺上側の菓子下側挟み部１５と支持盤１の周辺下側の菓子上側挟み部１６とを周方向に位置をずらさないで、菓子下側挟み部１５の真下に菓子上側挟み部１６が位置するように構成し、菓子Ｓが上下方向に直列する状態に保持できるように構成しても良い。更に、周辺上側にのみ菓子下側挟み部１５を備えた支持盤と周辺下側にのみ菓子上側挟み部１６を備えた支持盤とを使用することもできる。この場合、最下位の支持盤と最上位の支持盤との中間には、前記２種類の支持盤が互いに重なる状態で配置される。そして、上段の菓子と下段の菓子との周方向の相対位置を一定に規制するために、互いに重なる２種類の支持盤どうしを互いに相対回転不能に係合させる係合部を設けるのが望ましい。
【００３７】
結合手段１１も上記実施形態のものに限定されない。例えば基台２とその上の支持盤１とを結合する結合具と、上下に隣り合う支持盤どうしを互いに結合する結合具とを使用して、全体を一体化することも可能である。
【図面の簡単な説明】
【００３８】
【図１】Ａ図は組み立てられた陳列台（お華束）の全体を示す正面図であり、Ｂ図は１段の菓子の配列状態を示す平面図である。
【図２】支持盤間での菓子の挟み付け状態と基台及び結合手段の分解状態を示す縦断正面図である。
【図３】基台の平面図である。
【図４】Ａ図は菓子の側面図であり、Ｂ図は菓子の背面図である。
【図５】支持盤の縦断正面図である。
【図６】支持盤の平面図である。
【図７】支持盤の底面図である。
【図８】図５のｘ−ｘ線矢視図（要部拡大図）である。
【図９】図５のｙ−ｙ線断面図（要部拡大図）である。
【図１０】図５のｚ−ｚ線断面図（要部拡大図）である。
【図１１】上下に隣り合う支持盤間での菓子本体の挟み状態を示す要部の一部縦断展開正面図である。
【図１２】上下に隣り合う支持盤間での菓子裏面側突出部の挟み状態を示す要部の一部縦断展開正面図である。
【符号の説明】
【００３９】
１    支持盤
２    基台
３    カバー
４    筒状で透明の熱収縮性フィルム
５，１４    段積み用嵌合部
６    張り出し台座部
７    螺軸支持用筒状部
８    螺軸
９ａ，９ｂ，１０    ナット
１１    結合手段
１２    円盤状菓子本体
１３    菓子裏面側突出部
１３ｂ    角形下部
１５    菓子下側挟み部
１６    菓子上側挟み部
１７Ａ，１７Ｂ    同心円弧形の垂直壁
１８    小径嵌合雄部
２０    大径嵌合雌部
２１ａ    係合雄部
２１ｂ    係合雌部
２２    回転止め係合部
２３，２５    外側凹部
２４，２６    内側凹部
【図１】
2005058632.tif 000003
【図２】
2005058632.tif 000004
【図３】
2005058632.tif 000005
【図４】
2005058632.tif 000006
【図５】
2005058632.tif 000007
【図６】
2005058632.tif 000008
【図７】
2005058632.tif 000009
【図８】
2005058632.tif 000010
【図９】
2005058632.tif 000011
【図１０】
2005058632.tif 000012
【図１１】
2005058632.tif 000013
【図１２】
2005058632.tif 000014